(57)【要約】【課題】昇降駆動時の振動、騒音を抑制できるとともに、構造をシンプル化できるためメンテナンスを含めた取扱い性に優れたベッドを提供する。【解決手段】ベッド枠体は、先端部が前記上半身支持枠部の下面に摺接しかつ上向き回動とともに該上半身支持枠部を持ち上げる前のアーム体と、先端部が前記脚支持枠部の下面に摺接しかつ上向き回動とともに該脚支持枠部を持上げる後のアーム体と、前記前のアーム体を回動させる前の直線運動器と、後のアーム体を回動させる後の直線運動器とを含む駆動装置を具え、前の直線運動器と後の直線運動器とはロッドの押し動作により各前、後のアーム体を上向き回動させ、しかも前の直線運動器と後の直線運動器とは、ベッド幅方向に並んでかつ平行しかもロッドを逆向きに配置されることを特徴とする。【選択図】  図２
2008073107.tif 000002
【特許請求の範囲】
【請求項１】
寝具を載置する寝具載置面を有する寝具受け枠と、該寝具受け枠を支持するベッド枠体とを具えたベッドであって、
前記寝具受け枠は、就寝者の頭部が向く前側部分に配されるとともに、後端部が前記ベッド枠体に枢支されて上半身を受ける上半身支持枠部と、後側部分に配されるとともに、前端部が前記ベッド枠体に枢支されて就寝者の脚を受ける脚支持枠部とを含み、
前記ベッド枠体は、
先端部が前記上半身支持枠部の下面に摺接しかつ上向き回動とともに該上半身支持枠部を持ち上げる前のアーム体と、
先端部が前記脚支持枠部の下面に摺接しかつ上向き回動とともに該脚支持枠部を持上げる後のアーム体と、
前記前のアーム体を回動させる前の直線運動器と、
後のアーム体を回動させる後の直線運動器とを含む駆動装置を具え、
前の直線運動器と後の直線運動器とはロッドの押し動作により各前、後のアーム体を上向き回動させ、
しかも前の直線運動器と後の直線運動器とは、ベッド幅方向に並んでかつ平行しかもロッドを逆向きに配置されることを特徴とするベッド。
【請求項２】
前記駆動装置は、前後にのびる基軸、該基軸の両端で、前記前の直線運動器と後の直線運動器の基端部をそれぞれ受ける受部、前記前、後のアーム体の基端部が固着された前の回動軸と後の回動軸、及び該前、後の回動軸に各一端を固定されかつ各他端を前記前の直線運動器と後の直線運動器のロッド端に枢着される前の駆動片と後の駆動片とを含むことを特徴とする請求項１記載のベッド。
【請求項３】
前記前、後の回動軸は、前記駆動装置の前記基軸両端の軸受け部により枢支されたことを特徴とする請求項１又は２記載のベッド。
【請求項４】
前記上半身支持枠部は、後端部が前記ベッド枠体に枢支されるとともに就寝者の背中を受ける背支持枠部、及び該背支持枠部と一直線となる伸展状態と、該背支持枠部に対して持ち上げられてかつ前端を上向きに傾動しうる頭部リクライニング状態とに変化させる傾動部を介して、前記背支持枠部の前端部に取付けられる頭支持枠部とを含み、
前記前のアーム体の先端部は、前記頭支持枠部の下面に摺接して上半身支持枠部を持上げることを特徴とする請求項１〜３のいずれかに記載のベッド。
【請求項５】
前記脚支持枠部は、前端部が前記ベッド枠体に枢支されるとともに就寝者のももを受ける第１の脚支持枠部と、前端部が該第１の脚支持枠部の後端部に折り曲げ可能に取り付けられ、かつ就寝者のふくらはぎを受ける第２の脚支持枠部とを含み、
前記第２の脚支持枠部の後端部とベッド枠体とを、第１の脚支持枠部と略同長さのリンクにより接続して、前記リンク、第１の脚支持枠部、第２の脚支持枠部、及びベッド枠体によって平行クランク機構を形成するとともに、前記後のアーム体の先端部は、前記第１の脚支持枠部の下面に摺接して脚支持枠部を持上げることを特徴とする請求項１〜４のいずれかに記載のベッド。
【発明の詳細な説明】
【技術分野】
【０００１】
本発明は、上半身支持枠部及び脚支持枠部の各々が、持ち上げ可能に形成されたベッドに関する。
【背景技術】
【０００２】
近年の生活習慣では、ベッドの上で横になったままテレビを見たり或いは読書をしたり、さらには軽い食事をとることが頻繁に行われている。このような使用状況に鑑み、本出願人は図９に示すように、上半身を受ける上半身支持部ａをリクライニング可能に構成し、かつ膝、腰などの関節を含んだ下半身を楽な姿勢に維持するために脚部を受ける脚支持部ｂを昇降可能に構成することにより、更に快適に使用できるベッドを提案している（例えば、特許文献１参照）。
【０００３】
【特許文献１】実用新案登録第３１２４０１６号公報
【発明の開示】
【発明が解決しようとする課題】
【０００４】
前記ベッドの上半身支持部ａは図１０に示すように、上半身支持部ａの下部に設けた第１の直線運動器ｄのロッドの引き動作によって上向きに回動し、他方脚支持部ｂは図１１に示すように、脚支持部ｂの下部に設けた第２の直線運動器ｅの引き動作によって上昇するように構成している。このように第１、第２の直線運動器ｄ、ｅは、ベッドの前後に離れて取付けていることから、昇降時の機械振動、騒音が前後に分散して発生することから、特に静寂な夜間には、音環境、使用感を損ねる恐れがある。しかも第１、第２の直線運動器ｄ、ｅが前後に分散しているため制御、電気系統を含めて構造が複雑化しがちであり、更なる改善が求められていた。
【０００５】
本発明は、駆動装置に含まれる前の直線運動器及び後の直線運動器は、ロッドの押し動作によって各前、後のアーム体を上向き回動させ、しかも前の直線運動器と後の直線運動器とが、ベッド幅方向に並んでかつ平行しかもロッドを逆向きに配置されることを基本とし、昇降駆動時の振動、騒音を抑制するとともに、構造をシンプル化できるためメンテナンスを含めた取扱い性に優れたベッドの提供を課題としている。
【課題を解決するための手段】
【０００６】
前記目的を達成するために、請求項１に係る発明では、寝具を載置する寝具載置面を有する寝具受け枠と、該寝具受け枠を支持するベッド枠体とを具えたベッドであって、前記寝具受け枠は、就寝者の頭部が向く前側部分に配されるとともに、後端部が前記ベッド枠体に枢支されて上半身を受ける上半身支持枠部と、後側部分に配されるとともに、前端部が前記ベッド枠体に枢支されて就寝者の脚を受ける脚支持枠部とを含み、前記ベッド枠体は、先端部が前記上半身支持枠部の下面に摺接しかつ上向き回動とともに該上半身支持枠部を持ち上げる前のアーム体と、先端部が前記脚支持枠部の下面に摺接しかつ上向き回動とともに該脚支持枠部を持上げる後のアーム体と、前記前のアーム体を回動させる前の直線運動器と、後のアーム体を回動させる後の直線運動器とを含む駆動装置を具え、前の直線運動器と後の直線運動器とはロッドの押し動作により各前、後のアーム体を上向き回動させ、しかも前の直線運動器と後の直線運動器とは、ベッド幅方向に並んでかつ平行しかもロッドを逆向きに配置されることを特徴とする。
【０００７】
請求項２に係る発明において、前記駆動装置は、前後にのびる基軸、該基軸の両端で、前記前の直線運動器と後の直線運動器の基端部をそれぞれ受ける受部、前記前、後のアーム体の基端部が固着された前の回動軸と後の回動軸、及び該前、後の回動軸に各一端を固定されかつ各他端を前記前の直線運動器と後の直線運動器のロッド端に枢着される前の駆動片と後の駆動片とを含み、請求項３に係る発明において、前記前、後の回動軸は、前記駆動装置の前記基軸両端の軸受け部により枢支されたことを特徴とする。
【０００８】
請求項４に係る発明において、前記上半身支持枠部は、後端部が前記ベッド枠体に枢支されるとともに就寝者の背中を受ける背支持枠部、及び該背支持枠部と一直線となる伸展状態と、該背支持枠部に対して持ち上げられてかつ前端を上向きに傾動しうる頭部リクライニング状態とに変化させる傾動部を介して、前記背支持枠部の前端部に取付けられる頭支持枠部とを含み、前記前のアーム体の先端部は、前記頭支持枠部の下面に摺接して上半身支持枠部を持上げることを特徴とする。
【０００９】
請求項５に係る発明において、前記脚支持枠部は、前端部が前記ベッド枠体に枢支されるとともに就寝者のももを受ける第１の脚支持枠部と、前端部が該第１の脚支持枠部の後端部に折り曲げ可能に取り付けられ、かつ就寝者のふくらはぎを受ける第２の脚支持枠部とを含み、前記第２の脚支持枠部の後端部とベッド枠体とを、第１の脚支持枠部と略同長さのリンクにより接続して、前記リンク、第１の脚支持枠部、第２の脚支持枠部、及びベッド枠体によって平行クランク機構を形成するとともに、前記後のアーム体の先端部は、前記第１の脚支持枠部の下面に摺接して脚支持枠部を持上げることを特徴とする。
【発明の効果】
【００１０】
請求項１に係る発明においては、前の直線運動器と後の直線運動器とは、ベッド幅方向に並んでかつ平行しかもロッドを逆向きにしてコンパクトに配置され、駆動機器が纏まって配置される。そのため就寝者及び寝具を載せた上半身支持枠部、脚支持枠部を持上げるため大きな出力でロッドを押し出す際に起きる騒音、振動の発生源が一箇所に集中することから、防音、防振処置を容易に行なえるとともに、就寝者に与える悪影響も最小限に抑制できる。
【００１１】
また前記の如く前の直線運動器と後の直線運動器とが纏まって配置されることから、これらの取付構造及び配線を一括してシンプル化できるため、故障が少なくなるとともにメンテンナンスを容易に行なえ、更にはこれらの部材をユニット化して取扱いを簡素化することができる。前、後の直線運動器は、各々のロッドを逆向きに配置するとともにその押し動作によってアーム体を上向きに回動させることから、上半身支持枠部及び脚支持枠部が水平を維持する通常の姿勢では、ロッドが引っ込んだコンパクトな状態となるため、ベッドを移動したりベッド下部の床面を清掃する際に、邪魔になることがない。
【００１２】
請求項２に係る発明のように、駆動装置が前後にのびる基軸を含んで構成され、この基軸両端の受部によって、前、後の直線運動器の基端部をそれぞれ取り付けると、前、後の直線運動器が動作して、前、後のアーム体を回動させる際に生じる応力が、前記基軸によって支持される。その結果ベッド枠体に対してはあまり大きな負荷が発生しないことから、撓りなど変形を生じることがない。
【００１３】
請求項３に係る発明のように、駆動装置の基軸両端に設けた軸受け部によって前、後の回動軸を枢支すると、前、後の直線運動器のロッドの押し動作によって前、後のアーム体が回動する際、前、後の直線運動器の基端部及びロッド先端部の間で発生する負荷が、基軸によって支持されることから、前、後のアーム体及びこれに支持された上半身支持枠部、脚支持枠部がスムースに持上げられて、ベッドに変形、或いは軋み音などを生じることがない。しかもこれらの負荷を充分に支持する強度の基軸を用いるだけで、ベッド枠体には特別の補強が必要でないことから、ベッド全体の構造を標準化することができる。
【００１４】
請求項４に係る発明のように、上半身支持枠部を、背支持枠部とこの背支持枠部の前端部に傾動部を介して取り付けられる頭支持枠部とで形成し、前記前のアーム体の先端部で、前記頭支持枠部の下面に摺接して上半身支持枠部を持上げるように構成すると、初期傾動状態において頭支持枠部のみが持ち上がる頭部リクライニング状態が形成され、枕なしで枕を用いたと同じ快適な寝心地を得ることができる。
【００１５】
さらに前記前のアーム体が回動して更に上昇する頭支持枠部が傾動部を介して背支持枠部を持上げると、頭部リクライニング状態を維持しつつ背支持枠部が上向きに傾動する後期傾動状態が形成されるため、頸部への圧迫を減じつつ頭部を持上げることが可能となる。これにより、テレビの視聴、読書など長時間使用しても肩コリなど疲労感を覚えることがなく、リラックスした快適なリクライニング状態を得ることができる。
【００１６】
請求項５に係る発明のように、前記脚支持枠部を、就寝者のももを受ける第１の脚支持枠部と、就寝者のふくらはぎを受ける第２の脚支持枠部とで形成するとともに、後のアーム体の先端部を、前記第１の脚支持枠部の下面に摺接して脚支持枠部を持上げるように構成すると、就寝者が第１、第２の脚支持枠部に脚部を載せて使用するとき、就寝者の足側から頭部に向けて高さを段階的ではあるが徐々に下降させることができる。従って、足裏などを流れた血が心臓へと還流しやすくなり、充分な血行促進効果を図ることができる。しかも第２の脚支持枠部は、第１、第２の脚支持枠部、リンク、及びベッド枠体の一部により形成される平行クランク機構に支持されて持ち上げられることから、構造が簡単となるとともに第２の脚支持枠部をスムースに昇降することができる。
【発明を実施するための最良の形態】
【００１７】
以下、本発明の実施の一形態を、図示例とともに説明する。図１、２に示すように、ベッド１は、寝具受け枠３と、この寝具受け枠３を支持するベッド枠体４とを具えて構成される。前記寝具受け枠３は、上面に寝具を載置する寝具載置面２を形成している。本形態では前記寝具として、ベッド用マットレスが用いられ、このマットレスの上をマットカバーで覆った場合を例示している。しかしスノコベッド等では、寝具載置面２に直接敷き布団を載置して使用することもある。
【００１８】
前記寝具受け枠３は図２に示すように、就寝者の頭部が向く前側部分に配されて、就寝者の上半身を受ける上半身支持枠部５と、反対の下側部分に配されて、就寝者の脚を受ける脚支持枠部６と、両者の中間に配されてこれらを繋ぎ、就寝者の臀部を受ける臀支持枠部３１とに三分割して構成される。
【００１９】
更に本形態の上半身支持枠部５は、後側に配されて就寝者の背中を受ける背支持枠部２０、及びこの背支持枠部２０の前端部に、傾動部２１を介して取付けられ、就寝者の頭を受ける頭支持枠部２２とを含み構成されたものを例示している。前記背支持枠部２０、及び頭支持枠部２２は、ともに前後方向にのびてベッド幅方向両側に配される縦枠材と、この縦枠材の前後端部間を繋いでベッド幅方向にのびる前後一対の横枠材とを枠組みして構成した矩形状の外周枠の内側に、前後方向にのびる補強桟を各々二本づつ架け渡して構成している。なお背支持枠部２０及び頭支持枠部２２は、ベッド幅方向に対し同じ大きさに形成され、他方前後方向に対しては、背支持枠部２０が頭支持枠部２２よりも長く形成している。さらに頭支持枠部２２の補強桟の下部には図３に示すように、前後にのびる係合レール５６を取り付けている。
【００２０】
前記傾動部２１は図２、３に示すように、湾曲した棒状をなし、間隔を隔てて配された背支持枠部２０、頭支持枠部２２の間に架け渡され、かつベッド幅方向に一対が隔設される。そしてこの傾動部２１は、その前後端部を各々頭支持枠部２２、背支持枠部２０の向き合う横枠材に対して枢着している。このように傾動部２１の前後端部が、頭支持枠部２２、背支持枠部２０へ各々枢着していることから、図７（Ａ）に示すように頭支持枠部２２、及び背支持枠部２０が一直線となる伸展状態、及び図７（Ｂ）（Ｃ）に示すように頭支持枠部２２が背支持枠部に対して持ち上げられて、前端を上向きに傾動しうる頭部リクライニング状態との間で変化可能に構成されている。
【００２１】
また本形態の脚支持枠部６は図２に示すように、就寝者のももを受ける第１の脚支持枠部２３と、就寝者のふくらはぎを受ける第２の脚支持枠部２４とを含み構成されたものを例示している。前記第１、第２の脚支持枠部２３、２４は、ともに前後方向にのびてベッド幅方向両側に配される縦枠材と、この縦枠材の前後端部間を繋いでベッド幅方向にのびる前後一対の横枠材とを枠組みして構成した矩形状の外周枠の内側に、前後方向にのびる補強桟を各々二本づつ架け渡して構成している。さらに第１の脚支持枠部２３の縦枠材の後端部と、第２の脚支持枠部２４の縦枠材の前端部とが枢着され、これにより第１、第２の脚支持枠部２３、２４は、折り曲げ可能に連結される。
【００２２】
前記臀支持枠部３１も同様に、ベッド幅方向両側に配される縦枠材と、この縦枠材の前後端部間を繋ぐ前後一対の横枠材とを枠組みた外周枠の内側に、補強桟を各々二本づつ架け渡して構成される。そして、この臀支持枠部３１の縦枠材の前後端部を、各々前記背支持枠部２０の縦枠材の後端部、及び第１の脚支持枠部２３の竪枠材の前端部に枢着して、これによって、臀支持枠部３１は、その前後に背支持枠部２０、及び第１の脚支持枠部２３と各々折り曲げ可能に連結している。
【００２３】
このように構成された本形態の寝具受け枠３は、前側から順に同幅に形成された頭支持枠部２２、背支持枠部２０、臀支持枠部３１、第１の脚支持枠部２３、及び第２の脚支持枠部２４が折曲可能に連結して構成される。
【００２４】
前記ベッド枠体４は、寝具受け枠３の下に配置され、ベッド１全体を支持する支持台３２と、この支持台３２と前記寝具受け枠３との間に設けられる基枠３３と、寝具受け枠３を動作させる駆動装置１１とを含み構成される。
【００２５】
前記支持台３２は図１、２に示すように、ベッド幅方向両側で平行に並ぶ一対の長板状の底板３４、３４と、この底板３４、３４の間を繋ぐ一対のつなぎ材３５、３５と、前記底板３４の略中央から壁状に立ち上がる側壁３６とを含み構成されている。なおこの側壁３６の内部には、荷重を支えるための芯材として、前後に一対の短柱部材３７を内蔵している。
【００２６】
前記基枠３３は、ベッド幅方向の両側部に向き合って一対が配置される側枠３８、３８と、この一対の側枠３８、３８の間に架け渡されてベッド幅方向にのびる横軸３９と、中間枠４０とを含み構成される。
【００２７】
前記側枠３８は、前後にのびる長板状をなすとともに外側に配置される側板４１と、水平視コ字状をなすとともに前記側板４１の内側に一体に固着される内枠４２とで構成される。そして、一対の側枠３８、３８が、内枠４２を内側に配した状態で向き合って配置され、かつ側板４１、４１の内側面に前記横軸３９の両端部が固着されている。更にこの横軸３９は、内枠４２と交差し、その交差部において双方が固着されている。前記側板４１の両端部の内側には、上下方向の角筒体４３が設けられ、この角筒体４３に、軸受け用の受け孔５７を穿設している。
【００２８】
前記中間枠４０は、前後に長い矩形状の外周枠４０Ａの内側に、ベッド幅方向を向いた複数本の中桟４０Ｂを架け渡して形成している。そして横軸３９を介して連結した側枠３８、３８の上に載置するとともに、外周枠４０Ａ及び中桟４０Ｂを前記内枠４２、及び横軸３９に溶接することにより、側枠３８、横軸３９、及び中間枠４０を一体化して基枠３３を形成している。なお前記中間枠４０の後端部に、前記第１の脚支持枠部２３の前後方向の寸法と略同長さを有する一対のリンク２５の基端部を軸着している。
【００２９】
このように構成された基枠３３は、前記支持台３２の上に載置されるとともに、内枠４２を側壁３６の短柱部材３７の上端部にボルト固定することにより、基枠３３と支持台３２とが一体化される。さらにこの基枠３３の上に前記寝具受け枠３を載置するとともに、臀支持枠部３１を中間枠４０の外周枠４０Ａにボルト固定することにより、支持台３２、基枠３３、及び寝具受け枠３が一体化されてベッド１の構造体が形成される。その結果、上半身支持枠部５の後部領域を構成する背支持枠部２０の後端部がベッド枠体４に枢支されるとともに、脚支持枠部６の前部領域を構成する第１の脚支持枠部２３の前端部がベッド枠体４に枢支される。
【００３０】
さらに図３に示すように、前記リンク２５の先端部が、第２の脚支持枠部２４の後端部に軸着される。これにより図８（Ａ）〜（Ｃ）に示すように、リンク２５、第１の脚支持枠部２３、第２の脚支持枠部２４、及びベッド枠体４を構成する前記中間枠４０の後端部領域によって平行クランク機構２６が形成され、その結果第１、第２の脚支持枠部２３、２４は、連動して昇降するように構成される。
【００３１】
前記駆動装置１１は図２、３に示すように、前、後のアーム体７、８と、前、後の直線運動器９、１０とを具えている。更に本形態の駆動装置１１は、前後にのびる基軸１３と、この基軸１３の前後端部に配置された前、後の回動軸１５、１６とを含み構成されたものを例示している。
【００３２】
前記基軸１３は、駆動装置１１のメインフレームを構成するもので、本形態では図５、６に示すように、鋼製の角パイプを用いている。またこの基軸１３の前後端部近傍の上部を切り欠いた切欠部に、ベッド幅方向にのびるＵ字状の溝受片４４が嵌合固着される。図４に示すように、前記溝受片４４の上部を覆って蓋板４６がビス固定され、この蓋板４６には下方へ向いた突出部４７が形成される。また前記溝受片４４は、基軸１３からベッド幅方向の片側へ位置ずれして配置され、溝受片４４の基軸１３から一側方に食み出した領域の下部に逆Ｕ字状の枢支体４５が固着され、この枢支体４５によって受部１４が形成される。さらに溝受片４４の基軸１３から一側方に食み出した領域には、基軸１３上面と面一に連続する鍔４８が形成される。この鍔４８は、上に重なる蓋板４６をビス固定していることから、蓋板４６の取付強度が安定する点で好ましい。
【００３３】
図４に示すように、前記基軸１３の前後方向の略中央に、上部を切り欠いた凹部４９を形成している。この凹部４９に、前記基枠３３の横軸３９を嵌合するとともに、基軸１３を中間枠４０の中桟４０Ｂにボルト固定することによって、駆動装置１１をベッド枠体４に取り付けている。
【００３４】
前記前、後の回動軸１５、１６は図５、６に示すように、前記基軸１３の前後に取付けられた溝受片４４内に各々が収容され、この溝受片４４の上部が前記蓋板４６によって閉止される。しかも前、後の回動軸１５、１６の外径は、前記溝受片４４及び突出部４７によって囲まれる空所にガタツキなく収容される大きさに形成している。このように構成することにより、基軸１３の両端部に、溝受片４４と突出部４７を設けた蓋板４６とで軸受け部１９が形成される。そして前、後の回動軸１５、１６は、その略中央部が前記軸受け部１９によって枢支される。さらに前、後の回動軸１５、１６の両端部を、前記側枠３８の側板４１に形成された軸受け用の受け孔５７によって枢支している。このように、前、後の回動軸１５、１６は略中央部及び両端部において、軸受け部１９及び受け孔５７によって枢支されることから、大きな荷重が掛かっても撓みを生じることがなく、安定して回転運動を支持できる点で好ましい。
【００３５】
前記前の回動軸１５は図２、５に示すように、ベッド巾方向の両側に軸中心線に対して直角で互いに平行で前方にのびる一対の前のアーム体７と、前記基軸１３の側部において軸中心線に対して直角にのびる前の駆動片１７とを一体に固定している。前記前のアーム体７は、基端部が前の回動軸１５に固着されて直線状にのび、かつ先端近傍で上向きに湾曲するとともに先端に前後方向にのびる長矩形状のスライド板５０が設けられる。このスライド板５０は前記頭支持枠部２２の係合レール５６に、前後に移動可能に係合する。また前の駆動片１７は、基端が前の回動軸１５に固定されてベッド幅方向に小さく離れて平行に並ぶ一対の双動板５１、５１と、この双動板５１、５１の先端部間に架け渡された枢支ピン５２とを含み構成されている。
【００３６】
後の回動軸１６は、ベッド巾方向の両側に軸中心線に対して直角で互いに平行で後方にのびる一対の後のアーム体８と、前記基軸１３の側部において軸中心線に対して直角にのびる後の駆動片１８とを一体に固定している。前記後のアーム体８は、基端部が後の回動軸１６に固着されて直線状にのび、先端に小ロール５３を有している。尚この小ロール５３は、前記第１の脚支持枠部２３の補強桟の下面に摺接し、これを押し上げうる位置に配置される。また後の駆動片１８は、前記前の駆動片１７と略同様に構成され、基端が後の回動軸１６に固定され一対の双動板５１、５１の先端部間に枢支ピン５２を架け渡して形成される。
【００３７】
前記前、後の直線運動器９、１０は、ロッド１２を有し、本形態では、電動機を含む本体部５４及びボールネジ機構を有し、電動機の正転、逆転によって前記ロッド１２が本体部５４から伸び縮みして、押し引き動作できる電動式シリンダが例示される。尚本形態の前、後の直線運動器９、１０は、出力が例えば、ロッド１２がのびる押側で６０００Ｎ、ロッド１２が引っ込む引側で４０００Ｎの仕様のものが採用される。前、後の直線運動器９、１０は、互いに基軸１３を挟んでベッド幅方向に並んで平行に、しかも各々のロッド１２を前、後逆の向きにして配置される。そして図６に示すように、本体部５４の基端部に突設された取付片５５が、前記受部１４を構成する枢支体４５によって枢支される。他方前の直線運動器９のロッド１２先端は、前記前の駆動片１７の枢支ピン５２に枢支され、後の直線運動器１０のロッド１２先端は、前記後の駆動片１８の枢支ピン５２に枢支される。
【００３８】
このように前、後の直線運動器９、１０を纏まって配置していることから、これらを支持する取付構造及び電気配線などを一括してシンプル化できるため、故障が減少し、かつメンテンナンスが容易に行なえる。更にはこれら前、後の直線運動器９、１０を含む部材を予めユニット化して取扱いを一層簡素化することができる。
【００３９】
しかも前、後の直線運動器９、１０は、各々のロッド１２を前、後逆の向きに配置し、かつ共にその押し動作によって前、後のアーム体７、８を上向きに回動させる。従って上半身支持枠部５及び脚支持枠部６が水平を維持する通常の姿勢では、ロッド１２が引っ込んだコンパクトな状態となることから、ベッドを移動したりベッド下部の床面を清掃する際に、邪魔になることがない。
【００４０】
また駆動装置１１は基軸１３を含み構成され、この基軸１３両端の受部１４を介して、前、後の直線運動器９、１０の基端部を取付けている。従って前、後の直線運動器９、１０が動作して、前、後のアーム体７、８を回動させる際に生じる応力が、前記基軸１３によって支持することができることから、ベッド枠体４に対しては大きな負荷が発生しないために、撓りなど変形を生じることがない。
【００４１】
さらに本形態では、駆動装置１１の基軸１３両端の軸受け部１９によって前、後の回動軸１５、１６を枢支しているため、前、後の直線運動器９、１０のロッド１２の押し動作によって前、後のアーム体７、８が回動する際、前、後の直線運動器９、１０の基端部及びロッド１２先端部の間で発生する負荷が、基軸１３によって確実に支持される。その結果、前、後のアーム体７、８及びこれに支持された上半身支持枠部５、脚支持枠部６をスムースに持上げることができ、ベッドに変形、或いは軋み音などを生じることがない。しかもこれらの負荷を充分に支持する強度の堅牢な基軸１３を用いることによってベッド枠体４には特別の補強が必要でないため、ベッド全体の構造を標準化することができる。
【００４２】
このように構成された駆動装置１１において、図７（Ａ）に示すように前の直線運動器９がロッド１２を引いた状態では、前側を低くした姿勢の前のアーム体７によって支持された頭支持枠部２２は、その後端部が傾動部２１を介して背支持枠部２０に連結支持されることから、背支持枠部２０と同高さに並んで水平に支持される。この姿勢で、フラットな通常の使用状態が得られる。次いで図７（Ｂ）に示すように前の直線運動器９のロッド１２が少しのびると前の駆動片１７を介して前の回動軸１５が回動して、前のアーム体７が上向きに回動する。これによって、頭支持枠部２２の係合レール５６に係合する前のアーム体７先端部のスライド板５０が前方へ移動することより、前のアーム体７先端部が頭支持枠部２２の下面を摺接しつつ頭支持枠部２２を持上げて、頭部リクライニング状態が形成される。このように初期傾動状態において、頭支持枠部のみが持ち上がる程度に前のアーム体７を少し持上げることによって頭部リクライニング状態を形成すると、枕なしで枕を用いたと同じ快適な寝心地を得ることができる点で好ましい。
【００４３】
図７（Ｃ）に示すように前の直線運動器９がロッド１２を更に押し出すと、頭支持枠部２２の下面に摺接する前のアーム体７が上向きに回動して、頭支持枠部２２が大きく上昇する。同時にこの頭支持枠部２２に傾動部２１を介して連結した背支持枠部２０が持ち上げられ、臀支持枠部３１との枢支点を中心として上向きに回動する。このように前のアーム体７が頭支持枠部２２を更に持上げると前記頭部リクライニング状態を維持しつつ背支持枠部２０が上向きに傾動する後期傾動状態が形成されることから頸部への圧迫を減じつつ頭部を持上げることが可能となる。その結果テレビの視聴、読書など長時間使用しても肩コリなど疲労感を覚えることがなく、リラックスした快適なリクライニング状態を得ることができる。
【００４４】
脚支持枠部６において図８（Ａ）に示すように後の直線運動器１０がロッド１２を引いた状態では、中間枠４０の上に載置されて水平姿勢を維持する第１の脚支持枠部２３の下面に、後のアーム体８の小ロール５３が接触している。このとき第２の脚支持枠部２４も同様に中間枠４０の上に載置されることから、第１の脚支持枠部２３と同高さに並んで水平に支持されて、この姿勢で全体がフラットな通常の使用状態が得られる。
【００４５】
次いで図８（Ｂ）に示すように後の直線運動器１０のロッド１２が少しのびると、後の駆動片１８を介して後の回動軸１６が回動して、その結果後のアーム体８が上向きに回動する。このように後のアーム体８が上向きに回動すると、その先端の小ロール５３が第１の脚支持枠部２３の下面に摺接しているため、第１の脚支持枠部２３は臀支持枠部３１との枢支点を中心として第１の脚支持枠部２３が上向きに回動する。このとき前記の如く第１の脚支持枠部２３は、第２の脚支持枠部２４、リンク２５、及び中間枠４０の後端部領域によって平行クランク機構２６を構成していることから、第１の脚支持枠部２３の上向きの回動に連動して、第２の脚支持枠部２４が第１の脚支持枠部２３及びリンク２５に支持されて上昇するため、第１、第２の脚支持枠部２３、２４を含む脚支持枠部６が持ち上がる。
【００４６】
図８（Ｃ）に示すように後の直線運動器１０がロッド１２を更に押し出すと、第１の脚支持枠部２３は更に上に向いて回動する後のアーム体８に押し上げられてその傾斜を増加させる、これに連動して第２の脚支持枠部２４が更に上昇する。
【００４７】
このように後のアーム体８の回動に連動して、押し上げられる脚支持枠部６に脚部を載せる就寝者は、足側から頭部に向けて高さを段階的に徐々に下降させた姿勢で就寝することができることから、足裏などを流れた血が心臓へと還流しやすくなり、充分な血行促進効果を図ることができる。
【００４８】
しかも本形態においては、脚支持枠部６が平行クランク機構２６を形成していることから、傾斜角度、及び高さが調整可能に構成された第１、第２の脚支持枠部２３、２４の上にもも、ふくらはぎを載せて使用することができるため、就寝者の体型、状況などに応じて前記角度、高さを微調整することにより快適性が一層向上する。しかも脚支持枠部６は平行クランク機構２６によって持上げらることから、後の直線運動器１０による昇降機構が簡単な構造となり、第１、第２の脚支持枠部２３、２４をスムースに昇降することができる。
【００４９】
このようにベッド１においては、前の直線運動器９及び後の直線運動器１０は、ベッド幅方向に並んでかつ平行しかもロッド１２を逆向きにしてコンパクトに配置され、駆動機器が纏まって配置される。そのため就寝者及び寝具を載せた上半身支持枠部５、脚支持枠部６を持上げるため相当大きな出力でロッドを押し出すために起きる騒音、振動の発生源が一箇所に集中することから、防音、防振処置を容易に行なえるとともに、就寝者に与える悪影響も最小限に抑制できる。
【００５０】
尚、叙上の説明は本発明の実施の形態を例示したものである。従って本発明の技術的範囲はこれに何ら限定されるものではなく、前記した実施の形態の他にも、各種の変形例が含まれる。
【図面の簡単な説明】
【００５１】
【図１】本発明の一実施の形態を例示する斜視図である。
【図２】その要部分解斜視図である。
【図３】その正面図である。
【図４】その要部拡大図である。
【図５】その斜視図である。
【図６】さらにその要部拡大図である。
【図７】（Ａ）（Ｂ）（Ｃ）は、上半身支持枠部の動作状態を順次説明する正面図である。
【図８】（Ａ）（Ｂ）（Ｃ）は、脚支持枠部の動作状態を順次説明する正面図である。
【図９】従来例の正面図である。
【図１０】その上半身支持枠部の動作状態を説明する略図である。
【図１１】その脚支持枠部の動作状態を説明する略図である。
【符号の説明】
【００５２】
１      ベッド
２      寝具載置面
３      寝具受け枠
４      ベッド枠体
５      上半身支持枠部
６      脚支持枠部
７      前のアーム体
８      後のアーム体
９      前の直線運動器
１０      後の直線運動器
１１      駆動装置
１２      ロッド
１３      基軸
１４      受部
１５      前の回動軸
１６      後の回動軸
１７      前の駆動片
１８      後の駆動片
１９      軸受け部
２０      背支持枠部
２１      傾動部
２２      頭支持枠部
２３      第１の脚支持枠部
２４      第２の脚支持枠部
２５      リンク
２６      平行クランク機構
【図１】
2008073107.tif 000003
【図２】
2008073107.tif 000004
【図３】
2008073107.tif 000005
【図４】
2008073107.tif 000006
【図５】
2008073107.tif 000007
【図６】
2008073107.tif 000008
【図７】
2008073107.tif 000009
【図８】
2008073107.tif 000010
【図９】
2008073107.tif 000011
【図１０】
2008073107.tif 000012
【図１１】
2008073107.tif 000013